(57)【要約】      （修正有）【課題】導入側端部を切断して長さ調整が可能なエルボを備えた排水用の配管構造を提供する。【解決手段】排水機器３からの排水を流下させ、その後排水を床下にて水平方向に変更させるエルボ５と、このエルボ５と連通させる横引管６とを備えた排水用の配管構造１において、エルボ５の排水機器３側に接続させる排水の導入側端部８は、受け口を有さず、かつ、切断して長さ調整可能な直管部１０を具備していることを特徴とする。前記導入側端部８が受け口を有しておらず切断可能とされているため、前記直管部１０を可及的に短く設定して、床下深さをエルボの下流側端部の直径に近い寸法まで圧縮させることができる。【選択図】図１
0003182637.tif 000002
【実用新案登録請求の範囲】
【請求項１】
排水機器からの排水を流下させ、その後排水を床下にて水平方向に変更させるエルボと、このエルボと連通させる横引管とを備えた排水用の配管構造において、
前記エルボの排水機器側に接続させる排水の導入側端部は、受け口を有さず、かつ、切断して長さ調整可能な直管部を具備していることを特徴とする排水用の配管構造。
【請求項２】
前記排水機器の排水口に接続される接続ソケットが備えられ、
前記導入側端部がこの接続ソケットに直接に接続されていることを特徴とする請求項１に記載の排水用の配管構造。
【請求項３】
前記接続ソケットの下流側端部には、前記導出側端部を内嵌させる受け口が設けられていることを特徴とする請求項２に記載の排水用の配管構造。
【請求項４】
前記導入側端部の外周面には、切断用の目盛りが設けられていることを特徴とする請求項１から３のいずれか一項に記載の排水用の配管構造。
【請求項５】
前記エルボは、ポリオレフィン系樹脂、ポリ（１−）ブテン系樹脂、ポリペンテン系樹脂、ポリスチレン系樹脂、アクリロニトリル−ブタジエン−スチレン系樹脂、ポリカーボネート系樹脂、ポリフェニレンエーテル系樹脂、アクリル系樹脂、ポリアミド系樹脂、ポリ塩化ビニル系樹脂を含む熱可塑性樹脂を用いて形成されたことを特徴とする請求項１から４のいずれか一項に記載の排水用の配管構造。
【考案の詳細な説明】
【技術分野】
【０００１】
この考案は、排水用の配管構造に関するものである。
【背景技術】
【０００２】
戸建住宅やマンション等の建物の床下には、トイレや浴室等の各種排水機器に接続された排水用の配管構造が配備されている。排水用の配管構造は、設備機器の排水口に取り付けられた接続ソケットから鉛直下方へ延びる縦管と、この縦管の下端部に接続されて排水の流動方向を鉛直方向から水平方向に変更させるエルボと、エルボに接続され、所定の排水勾配で略水平方向へ延びる横引管とを備えている。
前記床下の深さは、床面から天井までの居住空間を可及的に広く確保したいという近年の住宅に対する要望から、可能な限り圧縮される傾向にある。このニーズに対して、従来の配管構造としては、縦管を可及的に短くし、この縦管に両受けのエルボを接続させて前記横引管と連通させ寸法調整していた。
【先行技術文献】
【特許文献】
【０００３】
【特許文献１】特開２００３−２７７５７号公報
【考案の概要】
【考案が解決しようとする課題】
【０００４】
しかし、両受けエルボを用いる従来の配管構造では、縦管の端部を受けるための受け口を切断することができない。そして、接続ソケットに接続させる上流側受け口を常に床下に位置させる必要が生じるため、床下深さが、前記上流側受け口の寸法と横引管に接続させる下流側端部の直径との和よりも短くすることができず、床下深さの圧縮に限界が生じるという問題があった。
本考案は、上記事情に鑑みてなされたものであり、導入側端部を切断して長さ調整が可能なエルボを備えた排水用の配管構造を提供することを課題とする。
【課題を解決するための手段】
【０００５】
本考案は、排水機器からの排水を流下させ、その後排水を床下にて水平方向に変更させるエルボと、このエルボと連通させる横引管とを備えた排水用の配管構造において、前記エルボの排水機器側に接続させる排水の導入側端部は、受け口を有さず、かつ、切断して長さ調整可能な直管部を具備していることを特徴とする。
本考案によれば、前記導入側端部が受け口を有しておらず切断可能とされているため、前記直管部を可及的に短く設定して、床下深さをエルボの下流側端部の直径に近い寸法まで圧縮させることができる。
【０００６】
本考案は、前記排水機器の排水口に接続される接続ソケットを備え、前記導入側端部がこの接続ソケットに直接に接続されていてもよい。
本考案によれば、導入側端部を排水口の接続ソケットに接続されているため、接続ソケットと横引管との間をエルボのみで連結させることができる。
【０００７】
本考案は、前記接続ソケットの下流側端部に、前記導出側端部を内嵌させる受け口が設けられていることが好ましい。
本考案によれば、導入側端部を排水口の接続ソケットに容易に接続させることができる。
【０００８】
本考案は、前記導入側端部の外周面に、切断用の目盛りが設けられていることが好ましい。
本考案によれば、前記直管部の切断時に、前記目盛りに従って容易に寸法を調整することができる。
【０００９】
本考案は、エルボが、ポリオレフィン系樹脂、ポリ（１−）ブテン系樹脂、ポリペンテン系樹脂、ポリスチレン系樹脂、アクリロニトリル−ブタジエン−スチレン系樹脂、ポリカーボネート系樹脂、ポリフェニレンエーテル系樹脂、アクリル系樹脂、ポリアミド系樹脂、ポリ塩化ビニル系樹脂を含む熱可塑性樹脂を用いて形成されていることが好ましい。
本考案によれば、エルボの直管部を容易に切断することができるとともに、エルボの剛性を保持することができる。
【考案の効果】
【００１０】
本考案によれば、導入側端部を切断することができるエルボを用いることにより、床下深さを可及的に浅くすることができるという効果を奏する。
【図面の簡単な説明】
【００１１】
【図１】本考案の一実施形態として示した排水用の配管構造を示す断面図である。
【図２】本考案の一実施形態として示した排水用の配管構造に用いられるエルボを示す側面図である。
【考案を実施するための形態】
【００１２】
以下、本考案の一実施形態の排水用の配管構造について、図面を用いて詳細に説明する。
【００１３】
図１に示すように、排水用の配管構造１は、床材２上に設置された排水機器３（一部のみ表示）に接続されるとともに、床材２と基礎４との間の床下空間Ｓに設けられる片受けエルボ（エルボ）５と横引管６とを備えている。
【００１４】
排水機器３としては、建物内で使用した水を排し得る機器であればどのようなものでもよく、例として、浴室，トイレ，洗濯機，シンク等が挙げられる。
接続ソケット９は、設備機器３の排水口３ａと排水用の配管構造１とを接続する部材であり、一方の受け口９ａに排水口３ａを内嵌させている。
【００１５】
図２（ａ），（ｂ）に示すように、片受けエルボ５は、他の管の端部を内嵌させるよう大径に形成された受け口７ａが一端側にのみ備えられた曲管であり、図１に示すように、受け口７ａを備えていない排水の導入側端部８が、接続ソケット９の下流側の受け口９ｂに内嵌接続され、受け口７ａを備えた排水の導出側端部７が横引管６に外嵌接続されている。
【００１６】
導入側端部８は、切断してその軸線Ｌ方向の長さが調整可能となるよう軸線Ｌ方向に一定の外径で形成された直管部１０を有している。この直管部１０は、床下に設置された横引管６と接続ソケット９との間を連結するのに必要な長さ以上の寸法を有しており、施工現場で切断して実際の寸法に適合させることができるようになっている。
【００１７】
図２に示すように、導入側端部８ないし直管部１０の外周面には、切断時の寸法計算を容易にする目盛りｔ，ｔ・・が付されている。なお、この目盛りは片受けエルボ５に必須のものではない。
図１に示すように、床材２には、導入側端部８の外径に合わせて開口部２ａが形成され、導入側端部８のいずれの箇所で切断された場合にも、この導入側端部８を挿入自在となっている。
【００１８】
この片受けエルボ５は、ポリオレフィン系樹脂、ポリ（１−）ブテン系樹脂、ポリペンテン系樹脂、ポリスチレン系樹脂、アクリロニトリル−ブタジエン−スチレン系樹脂、ポリカーボネート系樹脂、ポリフェニレンエーテル系樹脂、アクリル系樹脂、ポリアミド系樹脂、ポリ塩化ビニル系樹脂を含む熱可塑性樹脂を用いて形成されており、その切断が容易になされるようになっている。
【００１９】
横引管６は、片受けエルボ５の導出側端部７の受け口７ａに接続され、所定の排水勾配で略水平方向へ延びるように設置されている。
【００２０】
以上のように、本考案の片受けエルボ５は、導入側端部８が受け口７ａを有さず、直管部１０のいずれの位置でも切断することができるようになっており、この導入側端部８を接続ソケット９に直接に接続させる構成となっている。したがって、接続ソケット９に内嵌させる長さ寸法を残して直管部１０を可及的に短く切断し、導出側端部７を限りなく床材２に接近させて排水用の配管構造１を設置し、床下深さＭを可能な限り圧縮することにより、居住空間（不図示）をより広く確保することが可能となるという効果が得られる。
【００２１】
また、排水用配管構造１は、導入側端部８を接続ソケット９に直接に接続させる構成となっているため、縦管等の別部材を用いることなく部品点数を抑えたシンプルな構成とすることができるという効果が得られる。
また、直管部１０の外周面に目盛りｔ，ｔ・・が付されているため、直管部１０の切断を目盛りに従って容易に寸法調整することができるとともに、目盛りｔ，ｔに沿って容易に行うことができるという効果が得られる。
【符号の説明】
【００２２】
１    排水用の配管構造
３    排水機器
５    片受けエルボ
６    横引管
７    導出側端部
７ａ  受け口
８    導入側端部
９    接続ソケット
１０  直管部
Ｌ    軸線
Ｍ    床下深さ
ｔ    目盛り
【図１】
0003182637.tif 000003
【図２】
0003182637.tif 000004